(57)【要約】【課題】構造、形状の工夫により、水中ポンプの吐出口と既設排水管の始端口とが若干離反することがあっても漏れが生じないようにできながら、機種や仕様の異なりにも対応可能となって割安となるように改善された水中ポンプ用シールを開発して提供する。【解決手段】既設排水管Ｋの始端口５Ａに連接可能な吐出口３Ａを有する水中ポンプＰの吐出口３Ａに、前記始端口５Ａとの間をシールすべく内嵌装備される水中ポンプ用シールにおいて、弾性材から成る筒材１と、筒材１を拡径させての強制外嵌が可能な補強リング２とを有し、筒材１の一端部１Ａが拡径されて補強リング２に強制外嵌されるとともに、筒材１の他端部１Ｂを径内側に折り返して補強リング２の内側に位置させることが可能なものに構成されている。【選択図】図４
2011149363.tif 000002
【特許請求の範囲】
【請求項１】
既設排水管の始端口に連接可能な吐出口を有する水中ポンプの前記吐出口に、前記始端口との間をシールすべく内嵌装備される水中ポンプ用シールであって、
弾性材から成る筒材と、前記筒材を拡径させての強制外嵌が可能な補強リングとを有し、前記筒材の一端部が拡径されて前記補強リングに強制外嵌されるとともに、前記筒材の他端部を径内側に折り返して前記補強リングの内側に位置させることが可能なものに構成されている水中ポンプ用シール。
【請求項２】
前記補強リングの内周面が、吐出方向で下手側に寄るほど内径が大となる傾斜面に形成されている請求項１に記載の水中ポンプ用シール。
【請求項３】
前記補強リングの内周面における吐出方向で上手側となる部分が、吐出方向で上手側に寄るほど内径が大となる傾斜面に形成されている請求項１に記載の水中ポンプ用シール。
【請求項４】
前記筒材がゴム製であり及び／又は前記補強リングが金属製である請求項１〜３の何れか一項に記載の水中ポンプ用シール。
【発明の詳細な説明】
【技術分野】
【０００１】
本発明は、既設排水管の始端口に連接可能な吐出口を有する水中ポンプの吐出口に、始端口との間をシールすべく内嵌装備される水中ポンプ用シールに関するものである。
【背景技術】
【０００２】
この種の水中ポンプ用シール（以下、単にシールと略称することを基本とする）は、例えば、特許文献１において開示されるように、マンホールに溜まった雨水等を排水すべくマンホールに吊下げ状態で落し込まれる水中ポンプに用いられる。ここで、シールの背景技術を理解するに当り、特許文献１で示されるマンホール用の水中ポンプに関する排水設備の構造及び使い方を例として説明する。
【０００３】
特許文献１の第１図に示されるように、マンホール内（槽内）の底部には、既設排水管（着脱装置基部１）と、そこから立ち上がるように垂設されるガイドパイプ（８）とが常設配備されている。要排水時には、水中ポンプ（４）を既設排水管（着脱装置基部１）に係止させるセット状態とすべく、チェーン等で吊下げられる水中ポンプ（４）を、そのガイドブラケット（６）をガイドパイプ（８）に挿通させてのガイド状態としつつ下降させる操作が開始される。
【０００４】
すると、水中ポンプ（４）の下降終了間際では、同図に示されるように、水中ポンプ（４）の吐出口（吐出側フランジ５）と、既設排水管の始端口（固定側フランジ２）とが摺接しながら相対上下スライド移動する状態がもたらされる。そして、尚も下降すると、特許文献１の第３図に示されるように、吐出口（吐出側フランジ５）と始端口（固定側フランジ２）とが互いの内部流路が合致しての連通状態でガイドブラケット（６）が始端口（固定側フランジ２）に当接し、水中ポンプ（４）の下降が終了するとともにセット状態となるように構成されている。
【０００５】
つまり、ガイドブラケット（６）が始端口（固定側フランジ２）に当接するので、あたかもそこが支点となって水中ポンプ（４）がその自重によって揺動下降移動しようとする構造上の性質を利用することにより、吐出口（吐出側フランジ５）と始端口（固定側フランジ２）とが互いに強く押し当てられるようになる。そして、前述のシール（弾性体７）が、吐出口（吐出側フランジ５）と始端口（固定側フランジ２）との間に介装されており、それら両者間からの水漏れ（液漏れ）を防止している。
【０００６】
特許文献１の第２図及び第３図に示されるように、シール（弾性体７）は、断面形状が内向きコ字状のリングシールであって、吐出口（吐出側フランジ５）の先端部に形成される凹リング部（５ａ，５ｂが符記されている箇所）に嵌め込まれて保持されている。そのシール（弾性体７）のリップ部（Ａが符記されている箇所）は、自由状態では吐出口（吐出側フランジ５）の先端面（フランジ端面５ｃ）より外側に突出する状態となっており、前述のセット状態においてはリップ部（Ａが符記されている箇所）が始端口（固定側フランジ２）に押圧付勢されて弾性接触し、それによって吐出口（吐出側フランジ５）と始端口（固定側フランジ２）とがシールされる。
【先行技術文献】
【特許文献】
【０００７】
【特許文献１】実開昭５６−１４９１００号公報
【発明の概要】
【発明が解決しようとする課題】
【０００８】
しかしながら、特許文献１に示されるように、始端口にリング状のシールを嵌め込み装着させる手段では、始端口（水中ポンプ）の大きさや形状が異なる毎にシールも寸法や形状を対応させる必要性が高くなり、成形型もその都度必要になる等、製品コストや管理コストの上昇を招き易い面がある。また、水中ポンプの出力が高く吐出反力が強い場合には、水中ポンプの自重によって吐出口が始端口に当接する付勢力に打ち勝って吐出口が始端口から離れ移動し、それによって漏れが生じてポンプ圧の低下を招くおそれがある。また、雨水には汚泥等の異物が含まれており、その流体が始端口と吐出口との間から漏れると同時に異物がその間に侵入すれば、フランジ端面に傷が付いて高価なフランジ端面のメンテナンスコストや修理・取換費用が増大するという不都合も生じる。
【０００９】
本発明の目的は、さらなる構造、形状の工夫により、水中ポンプの吐出口と既設排水管の始端口とが若干離反することがあっても漏れが生じないようにしつつ、始端口と吐出口との間に異物が侵入するおそれを防ぎ、機種や仕様の異なりにも対応可能となって割安となるように改善された水中ポンプ用シールを開発して提供する点にある。
【課題を解決するための手段】
【００１０】
請求項１に係る発明は、既設排水管Ｋの始端口５Ａに連接可能な吐出口３Ａを有する水中ポンプＰの前記吐出口３Ａに、前記始端口５Ａとの間をシールすべく内嵌装備される水中ポンプ用シールにおいて、
弾性材から成る筒材１と、前記筒材１を拡径させての強制外嵌が可能な補強リング２とを有し、前記筒材１の一端部１Ａが拡径されて前記補強リング２に強制外嵌されるとともに、前記筒材１の他端部１Ｂを径内側に折り返して前記補強リング２の内側に位置させることが可能なものに構成されていることを特徴とするものである。
【００１１】
請求項２に係る発明は、請求項１に記載の水中ポンプ用シールにおいて、前記補強リング２の内周面２ａが、吐出方向で下手側に寄るほど内径が大となる傾斜面１８に形成されていることを特徴とするものである。
【００１２】
請求項３に係る発明は、請求項１に記載の水中ポンプ用シールにおいて、前記補強リング２の内周面２ａにおける吐出方向で上手側となる部分が、吐出方向で上手側に寄るほど内径が大となる傾斜面１７に形成されていることを特徴とするものである。
【００１３】
請求項４に係る発明は、請求項１〜３の何れか一項に記載の水中ポンプ用シールにおいて、前記筒材１がゴム製であり及び／又は前記補強リング２が金属製であることを特徴とするものである。
【発明の効果】
【００１４】
請求項１の発明によれば、詳しくは実施形態の項にて述べるが、筒材の内側に強制内嵌される補強リングの存在により、強い吐出圧が作用してシールが抜け出るとかズレ移動するといったことが生じないように、水中ポンプ用シールを強固に吐出口に嵌め込み装着させることができる。そして、補強リングに外嵌されない筒材の他端部は、水中ポンプが既設配水管に装着された排水作用状態においては、軸心方向での長さを持った状態で既設配水管の始端口に入り込むことができるから、始端口と吐出口との間への異物侵入がなくフランジ端面に傷が付かず、高価なフランジ端面のメンテナンスや修理・取換費用を低減させることができるとともに、吐出反力等によって水中ポンプが既設配水管から離反移動することがあっても、他端部は始端口内に留まっていて有効にシールされるようになる。加えて、他端部は径内側に折り返して補強リングの内側に位置させることが可能であるから、水中ポンプを移動させて既設配水管に連通接続させる際には、他端部を折り返しておくことで、その他端部が邪魔になって装着作業がし難いとか、他端部が挟まれて損傷するといった不都合がなく、円滑に水中ポンプのセット作業を行うことができるようになる。
【００１５】
その結果、さらなる構造、形状の工夫により、水中ポンプの吐出口と既設排水管の始端口とが若干離反することがあっても漏れが生じないようにできながら、機種や仕様の異なりにも対応可能となって割安となるように改善された水中ポンプ用シールを提供することができる。そして、請求項４のように、ゴム製の筒材と金属製の補強リングとしてシールを廉価に構成することができる。
【００１６】
請求項２の発明によれば、詳しくは実施形態の項にて述べるが、吐出水流によって伸展状態となる筒材の他端部における軸心に交差する側周壁の軸心方向視による面積が明確に増大されるようになる。それによって側周壁に作用する圧が増大して他端部が始端口により強く当接するようになり、既設配管の始端口とシール、即ち吐出口とのシール性がより強化される利点が得られる。
【００１７】
請求項３の発明によれば、詳しくは実施形態の項にて述べるが、折り返されて補強リングの径内側に位置されている他端部、及びそれと吐出口内周面との径方向隙間に排水が作用することで筒材に作用する圧力（排水による圧力）がより強化されるようになり、折返し状態から伸展状態に素早く切換るという優れた応答性も得ることができる。
【図面の簡単な説明】
【００１８】
【図１】マンホール用の排水設備を示す全体側面図
【図２】水中ポンプ用シールを示す半断面図（実施例１）
【図３】（ａ）は補強リングの要部拡大断面図、（ｂ）は筒材の半断面図
【図４】（ａ）は水中ポンプセット時のシールを示す要部の断面図、（ｂ）は水中ポンプ使用時のシールを示す要部の断面図
【図５】実施例２のシールを示し、（ａ）は水中ポンプセット時のシールを示す断面図、（ｂ）は水中ポンプ使用時のシールを示す断面図
【図６】実施例３のシールを示し、（ａ）は水中ポンプセット時のシールを示す断面図、（ｂ）は水中ポンプ使用時のシールを示す断面図
【発明を実施するための最良の形態】
【００１９】
以下に、本発明による水中ポンプ用シールの実施の形態を、図面を参照しながら説明する。
【００２０】
〔実施例１〕
図１に、既設排水管Ｋに水中ポンプＰがセットされて排水作業が可能な状態にあるマンホール（槽）内部Ｈ、即ちマンホール用の排水設備が示されている。既設排水管Ｋは、マンホール内部Ｈの底７に固定される支持部８に取り付けられるエルボ管５と、揚水管１０とを有して成り、エルボ管５には、これから立ち上がる一対のガイドパイプ１１，１１が垂設されている。
【００２１】
水中ポンプＰは、モータ部１２、渦流ケース３、電線１４、吊下げ用のチェーン１５等を有して構成されている。渦流ケース３の末端である吐出口３Ａには、ガイドパイプ１１，１１を挿通可能なガイド部９、及びエルボ管５の始端口５Ａに形成されているフック部１６に係合可能な引掛け部１３が形成されている。これにより、ガイド部９をガイドパイプ１１に挿通させてのガイド状態で水中ポンプＰを下降させて行くと、引掛け部１３がフック部１６に係合され、その係合部を仮想中心として水中ポンプＰが自重によって揺動下降しようとすることにより、吐出口３Ａが始端口５Ａに強く押圧された状態で面当接するように構成されている。
【００２２】
実施例１によるシールＳは、図２に示すように、ゴム（弾性材の一例）から成るゴム筒（筒材の一例）１と、ゴム筒１を拡径させての強制外嵌が可能な補強リング２とを有し、ゴム筒１の一端部が拡径されて補強リング２に強制外嵌されるとともに、ゴム筒１の他端部を径内側に折り返して補強リング２の内側に位置させること〔図４（ａ）参照〕が可能なものに構成されている。
【００２３】
ゴム筒１は、図３（ｂ）に示すように、外径Ｄ１（例：４８ｍｍ）で適宜の軸心Ｘ方向の幅寸法（例：３５ｍｍ）を持ち、かつ、適宜の肉厚（例：１．５ｍｍ）を有する筒状のものである。外径Ｄ１は、水中ポンプＰの渦流ケース３の吐出口３Ａの内径ｄ３以下となる小さい寸法に設定されている。尚、既設配管Ｋの始端口５Ａの内径ｄ５は、吐出口３Ａの内径ｄ３と同径（ｄ５＝ｄ３）又はほぼ同径（ｄ５≒ｄ３）に設定されている。
【００２４】
例えばステンレス製の補強リング２は、図２，図３（ａ）に示すように、その内径ｄ２が、吐出口３Ａの内径ｄ３と同径（ｄ２＝ｄ３）又はやや大径（ｄ２＞ｄ３）に設定されている。補強リング２の外周には、周方向に沿う３本の外周溝２ｂが形成され、外周の軸方向端のそれぞれは斜めカット（例：Ｃ０．５）されている。外周溝２ｂは、径内側が尖る三角形の断面形状を有するＶ字溝であり、外嵌されるゴム筒１の引っ掛かりを良くして抜け止め作用の強化を図ってある。
【００２５】
ゴム筒１と補強リング２とでシールＳとするには、図２に示すように、ゴム筒１の一端部を拡大して補強リング２に弾性圧接外嵌させる。この場合、ゴム筒１の一端部１Ａの軸心Ｘ方向での端面１ｔは補強リング２を覆うように包み込んで内周面となるように、内周面２ａに合致する状態（互いに同径）となるまで強制外嵌させると好都合である。一端部１Ａが補強リング２に外嵌されたゴム筒１の他端部１Ｂは、図２に示すように、補強リング２に外れた箇所から自身の持つ弾性によって急激的に自由状態の外径Ｄ１に縮径されるような形状を呈する。ゴム筒１のゴム硬度が比較的硬い場合には径が漸減することもある。
【００２６】
シールＳの製品としての状態は、ゴム筒１と補強リング２とを組付けた直後では、図２に示すように、ゴム筒１の一端部１Ａが膨らんで他端部１Ｂはそのままの状態、即ち伸展状態になる。製品としての流通時や水中ポンプＰへに装着する際には伸展状態でも良いが、水中ポンプＰに組み込まれての使用時には、ゴム筒１の他端部１Ｂを径内側に折り反して、図４（ａ）に示すように、補強リング２の径内側に反対向きで位置する状態、即ち、折返し状態にする。図１に示すように、水中ポンプＰをガイドパイプに沿ってマンホールに落し込み操作して既設排水管Ｋにセットするには、シールＳを折返し状態としておく必要があるからである。
【００２７】
図１，図４に示すように、吐出口３Ａの終端には、排水流路である内周面６の径ｄ３より大径の径ｄ４（ｄ４＞ｄ３）を有し、かつ、開口される状態の内周溝４が形成されている。内周溝４の幅ｗ４は折返し状態のシールＳの幅ｗｓより若干長く設定されているが、同等又は僅かに長い設定でも可である。折返し状態（伸展状態でも良い）のシールＳは、軸心Ｘ方向の押込み操作によって内周溝４に内嵌装備される。この場合、圧入によって（即ち、シールＳの外径ｄ１＞内周溝４の内径ｄ４）装備させるのが吐出口３Ａに強固に保持させる点で好ましいが、圧入状態で、或は同径又は緩く内嵌挿入した状態で接着剤等を用いて貼着させるという手段も可能である。
【００２８】
さて、既設排水管Ｋにセットされた水中ポンプＰのシールＳは、図４（ａ）に示すように、他端部１Ｂが吐出口３Ａの内部に向く折返し状態になっており、他端部１Ｂの先端と吐出口３Ａの排水流路である内周面６とには径方向に環状の間隙ｍが存在している。これは、マンホール内Ｈにて水中ポンプＰを下降させてのスライド上下移動により、シールＳを有する吐出口３Ａを始端口５Ａに配置させるためである。尚、図１におけるシールＳは、その上部を折返し状態（始端口５Ａと吐出口３Ａとの間に異物が侵入し易い状態）で、そして下部は伸展状態でそれぞれ描いてある。
【００２９】
図４（ａ）に示すシールＳが折返し状態である水中ポンプＰを起動させてポンピングを、即ち排水を開始すると、吐出口３Ａから始端口５Ａに向かって水が流れることで折返し部である他端部１Ｂに水流による強い抵抗が作用し、図４（ｂ）に示すように、強制的に他端部１Ｂが排水流れ方向の下手側に折り返されて伸展状態になる。この場合の伸展状態は、流れの勢いによって他端部１Ｂが始端口５Ａの内周面５ａにへばり付かんばかりとなって、内周面５ａの始端角部１９に押付けられてシール部２０が形成されるようになり、他端部１Ｂと、即ちゴム筒１と始端口５Ａとがシールされるようになる。
【００３０】
排水作用状態においては、図４（ｂ）に示すように、他端部１Ｂはある程度の軸心Ｐ方向の長さを持つ状態になっている。従って、水中ポンプの出力が高い等によって吐出反力が強く、水中ポンプの自重によって吐出口が始端口に当接する付勢力に打ち勝って吐出口が始端口から離れ移動するようなことが生じても、他端部１Ｂは始端口５Ａの内周面５ａに依然として存在して良好なシール状態が維持されるようになり、そこから漏れが生じるという従来の問題が解消されている。そして、排水作業が終了し、水中ポンプを引き上げる際には、シールＳは伸展状態〔図４（ｂ）参照〕になっているが、ゴム筒１は柔らかいので、水中ポンプＰの上昇移動に伴って弾性変形して始端口５Ａを不都合なくやり過ごすことができる。
【００３１】
シールＳは、金属等による強度のある補強リングにゴム製のゴム筒１の一端部１Ａを拡径して強制外嵌させる構造であるから、部品点数が少なく、かつ、構造簡単であって廉価に製作することができる。シールＳにおける補強リング２に外嵌されている部分の一端部１Ａの外径ｄ１を、吐出口３Ａの内周溝４の内径ｄ４と同等又はやや小さくすることにより（ｄ１≦ｄ４）、シールＳを容易に抜け出ることなくしっかりと強固に内周溝４に内嵌装備することができる。これは、その内側に補強リング２が位置しているからであり、構造簡単で廉価なシールＳとしながら吐出口３Ａに強固に保持させることが実現できている。
【００３２】
例えば、補強リングを待たず、肉厚がより厚くされたゴム筒のみでシールを構成したような場合では、ゴム筒単品なので圧入的に周溝に内嵌させても、その保持力は本発明品には遠く及ばない。その場合、始端口に挿入されることとなる他端部の肉厚が過剰となって弾性変形がされにくくなり、返って排水時のシール性能が悪化するおそれがある。これに対して、本願発明によるシールＳでは、適度な厚みのゴム筒１としながらも、強固に吐出口３Ａに保持させることができるという優れものである。
【００３３】
〔実施例２〕
実施例２によるシールＳは、図５に示すように、実施例１によるシールＳとの違いは、補強リング２の内周面２ａが、吐出方向で下手側に寄るほど内径が大となる傾斜面、即ち先拡がり内周面１８に形成されている点であり、その他は基本的に同じである。即ち、図５（ａ），（ｂ）に示すように、補強リング２の内周面２ａの吐出方向上手側端の径（内径）ｄ２は実施例１による場合と同じであるが、補強リング２の内周面２ａの吐出方向下手側端の径（内径）ｄ６は始端口５Ａの内径ｄ５よりも大に設定されている（ｄ６＞ｄ５）。尚、ｄ２やｄ６の値は適宜に設定することができる。
【００３４】
この場合、図５（ａ）に示す折返し状態のシールＳが、吐出水流によって図５（ｂ）に示す伸展状態になると、他端部１Ｂにおける軸心Ｐに交差する側周壁（傾斜側周壁）１ｓの軸心Ｐ方向視による面積が、図４に示す実施例１のシールＳに比べて明確に増える。従って、側周壁１ｓに作用する圧が増大して〔図５（ｂ）のハッチング付矢印イを参照〕、始端口５Ａの内周面５ａの角部、即ち始端角部１９により強くゴム筒１が当接してのシール部２０が形成されるようになり、吐出口３Ａと始端口５Ａとのシール性（漏れ防止性）、及び始端口５Ａと吐出口３Ａとの間の異物侵入防止がより強化される利点が得られる。
【００３５】
つまり、補強リング２の内周面２ａが、送液方向（流体流れ方向）で下手側に行くほど大径となるようにシールＳが構成されて配置されている場合には、使用状態（排水状態）における送液（排水）の流速が先拡がり内周面１８のテーパ（内周面２ａの軸心Ｐに対する傾斜）によってゴム筒１を配管フランジ（始端口５Ａ）の端面側に押す（強く押す）方向に作用するため、シール性能が向上するようになる。
【００３６】
尚、折り返された他端部１Ｂが吐出口３Ａの内周面６にへばり付くように設定したとき〔図５（ａ）実線の状態〕に、吐出水流による他端部１Ｂへの抵抗が得られ難いことがある場合には、図５（ａ）に仮想線で示すように、折返し状態における他端部１Ｂが吐出口３Ａの内周面６から径内側に離れるように設定すれば好都合である。実施例１によるシールＳのものと同様になり、他端部１Ｂの吐出水流による確実な反転作用を得ることが可能になる。
【００３７】
〔実施例３〕
実施例３によるシールＳは、図６に示すように、実施例１によるシールＳとの違いは、補強リング２の内周面２ａにおける吐出方向で上手側となる部分が、吐出方向で上手側に寄るほど内径が大となる傾斜面、即ち先窄まり内周面１７に形成され、かつ、補強リング２の内周面２ａにおける吐出方向で下手側となる部分が、吐出方向で下手側に寄るほど内径が大となる傾斜面、即ち先拡がり内周面１８に形成されている点であり、その他は基本的に同じである。
【００３８】
先窄まり内周面１７と先拡がり内周面１８それぞれの軸心Ｐ方向長さは等しい又は略等しく（等しく無くても良い）設定されており、この場合の補強リングにおける最も小さい内径は軸心Ｐ方向で中央（又は略中央）箇所のｄ２であり、最も大きい内径は軸心Ｐ方向で両端箇所のｄ６である。この実施例の場合は、図６（ａ）に示すように、折り返されている他端部１Ｂと吐出口３Ａとの径方向隙間ｍが僅かであっても、そこに排水が矢印ロのように流れ込めば軸心Ｐ方向の受圧面積が大きく取れていることにより、迅速で軽快に図６（ｂ）のように伸展状態に切換るようになる。つまり、吐出口３Ａの内周面６より他端部１Ｂを径内側に大きく張り出す構成を採らなくても、排水開始に伴う即座の伸展状態への切換り挙動を得ることが可能になる。
【００３９】
そして、図６（ｂ）に示す伸展状態になると、先拡がり内周面１８の存在により、他端部１Ｂにおける軸心Ｐに交差する側周壁（傾斜側周壁）１ｓの軸心Ｐ方向視による面積が、図４に示す実施例１のシールＳに比べて明確に増える。従って、側周壁１ｓに作用する圧が増大して〔図６（ｂ）のハッチング付矢印ハを参照〕、始端口５Ａの内周面５ａの角部により強くゴム筒１が当接するようになり、シールＳと始端口５Ａとのシール性（漏れ防止性）、及び始端口５Ａと吐出口３Ａとの間の異物侵入防止がより強化される利点が得られる。
【００４０】
つまり、実施例３によるシールＳにおいては、先窄まり内周面１７によって排水開始に伴うゴム筒１の折返し状態から伸展状態への切換えが素早く行われて応答性に優れる利点と、先拡がり内周面１８によって他端部１Ｂが始端口５Ａの内周面５ａの角部により強く押されることによるシール性能向上の利点とを一挙に得ることができる。
【００４１】
〔別実施例〕
シールＳとしては、ゴム筒１の自由状態における外径Ｄ１を、始端口５Ａの内周面５ａの径ｄ５と同等又は僅かに大きく設定し、排水に伴う伸展状態による始端口５の内周面５ａとの密着性を増してよりシール性を向上させることも可能である。
【符号の説明】
【００４２】
１          筒材
１Ａ        一端部
１Ｂ        他端部
２          補強リング
２ａ        内周面
３Ａ        吐出口
５Ａ        始端口
１７        傾斜面（先拡がり内周面）
１８        傾斜面（先窄まり内周面）
Ｋ          既設排水管
Ｐ          水中ポンプ
【図１】
2011149363.tif 000003
【図２】
2011149363.tif 000004
【図３】
2011149363.tif 000005
【図４】
2011149363.tif 000006
【図５】
2011149363.tif 000007
【図６】
2011149363.tif 000008